(57)【要約】【課題】本発明は、内視鏡を用いた検査および処置時に唾液を受けたり、内視鏡検査行為による汚染などから患者の着衣およびベッドを保護する道具を特別に準備したり、清潔に管理する手間を省くことができ、内視鏡を用いた検査および処置時に患者の口から漏れる唾液や、内視鏡検査行為による汚染などから患者の着衣およびベッドを簡単に保護することができる患者保護シートを提供することを最も主要な特徴とする。【解決手段】内視鏡を用いた検査および処置時に患者Ｈに装着する患者保護シート１は、患者用ベッド２上に横たわる患者Ｈの上体部分を覆う保護シート本体４を有し、保護シート本体４は、患者用ベッド２上に横たわる患者Ｈの口Ｈ２から漏れる唾液等を吸着する第１の汚れ吸着部８と、検査行為による術者の操作にともなう汚れ等を吸着する第２の汚れ吸着部９とを有するものである。【選択図】      図１
2006051091.tif 000002
【特許請求の範囲】
【請求項１】
患者の上体部分を覆う保護シート本体と、
前記保護シート本体に設けられ、前記患者からの湿性生体物質を吸着する第１の汚れ吸着部と、
前記保護シート本体に設けられ、術者の操作にともなう患者からの湿性生体物質を吸着する第２の汚れ吸着部と
を有することを特徴とする患者保護シート。
【請求項２】
内視鏡を用いた検査および処置に用いる患者保護シートであって、
前記患者保護シートは、患者用ベッド上に横たわる患者の上体部分の一部を覆う保護シート本体と、
前記保護シート本体に設けられ、前記患者の口からの湿性生体物質を吸着する第１の汚れ吸着部と、
前記保護シート本体に設けられ、術者による内視鏡操作にともなう患者からの湿性生体物質を吸着する第２の汚れ吸着部と
を有することを特徴とする患者保護シート。
【請求項３】
前記第１の汚れ吸着部および前記第２の汚れ吸着部は、吸水性が高い素材によって形成された高吸水部を有することを特徴とする請求項１または２に記載の患者保護シート。
【請求項４】
前記保護シート本体は、患者の首が通る首通し用の開口部を有し、
前記開口部に患者の首部を通した状態で、前記開口部の周縁部位を患者の首部に巻き付けて固定する固定部を有することを特徴とする請求項１または２に記載の患者保護シート。
【請求項５】
前記保護シート本体は、前記保護シート本体の長手方向の中点よりも一端側に片寄った位置に前記開口部が配置され、
前記開口部が片寄っている一端側に前記第１の汚れ吸着部、他端側に前記第２の汚れ吸着部がそれぞれ配置されていることを特徴とする請求項１または２に記載の患者保護シート。
【発明の詳細な説明】
【技術分野】
【０００１】
本発明は、例えば内視鏡検査などの医療検査や処置等を行う際に、検査室等でベッド上の患者に装着する患者保護シートに関する。
【背景技術】
【０００２】
従来から内視鏡検査および処置が広く行われている。例えば、消化器内視鏡による内視鏡を用いた検査および処置時には検査室内のベッド上の患者は横向き（左側臥位）の体位の姿勢で寝かされるのが一般的である（非特許文献１のＰ１０４、図ＩＶ−１−２参照）。このとき、患者の頭部は枕の上に載せられ、口にはマウスピースが挿入された体勢で待機される。そして、マウスピース内を通して消化器内視鏡の細長い挿入部が患者の口腔内に挿入され、さらに消化器系の管腔内に導かれる。
【０００３】
このような内視鏡を用いた検査および処置時には、患者の口からは「唾液」が漏れることが普通である。そこで、従来から患者の口元には口から漏れる「唾液」を受ける膿盆などの容器を配置したり、患者の頭部の下にカバーシート（非特許文献１のＰ１３４、図Ｖ−１−２参照）などを敷いて「唾液」による患者の着衣およびベッドの汚れを防ぐようにしている。
【０００４】
また、消化器内視鏡の操作時には消化器内視鏡の処置具挿通チャンネルを通して体内に鉗子などの処置具が挿入されて各種の処置が行われる。このとき、処置具の操作や、処置具の出し入れなどの操作にともない例えば血液や、体液、薬剤などの飛沫が周囲に飛散する可能性がある。そこで、従来はベッド上に横たわる患者の上体にバスタオルなどの保護シートを掛けて内視鏡検査中の処置具の操作などの検査行為による汚染などから患者の着衣およびベッドを保護するようにしている。
【非特許文献１】田村君英、藤田力也、「ナースのための消化器内視鏡マニュアル」、初版、学習研究社、２００３年８月３０日、Ｐ１０４、Ｐ１２１、Ｐ１３４
【発明の開示】
【発明が解決しようとする課題】
【０００５】
従来の内視鏡を用いた検査および処置時には予め、患者の口元に口から漏れる「唾液」を受ける膿盆などの容器を配置したり、患者の頭部の下にカバーシートをセットしたり、ベッド上に横たわる患者の上体にバスタオルなどの保護シートを掛けるなどの準備作業が必要になる。これらの道具は再利用することが普通であるので、使用済みの道具を使用後に滅菌消毒したり、清潔な環境で管理したりする作業が必要になる。そのため、膿盆や、カバーシートなどの道具を準備したり、清潔に管理する手間がかかる問題がある。
【０００６】
また、従来の内視鏡を用いた検査および処置時に使用されている膿盆や、カバーシートなどの道具は、内視鏡検査専用の道具ではなく、必要に応じて適宜の医療器具が選択的に使用されているのが実情である。
【０００７】
本発明は上記事情に着目してなされたもので、その目的は、内視鏡を用いた検査および処置時に患者の口から漏れる唾液を受けたり、内視鏡検査中の検査行為による汚染などから患者の着衣およびベッドを保護する道具を特別に準備したり、清潔に管理する手間を省くことができ、内視鏡を用いた検査および処置時に患者の口から漏れる唾液や、内視鏡検査中の処置具の操作などの検査行為による汚染などから患者の着衣およびベッドを簡単に保護することができる患者保護シートを提供することにある。
【課題を解決するための手段】
【０００８】
請求項１の発明は、患者の上体部分を覆う保護シート本体と、前記保護シート本体に設けられ、前記患者からの湿性生体物質を吸着する第１の汚れ吸着部と、前記保護シート本体に設けられ、術者の操作にともなう患者からの湿性生体物質を吸着する第２の汚れ吸着部とを有することを特徴とする患者保護シートである。
【０００９】
そして、本請求項１の発明の患者保護シートでは、内視鏡を用いた検査および処置時に患者に装着した際に、患者用ベッド上に横たわる患者の上体部分を保護シート本体で覆う状態にセットされる。このとき、保護シート本体の第１の汚れ吸着部によって患者用ベッド上に横たわる患者の口から漏れる唾液等を吸着し、術者による内視鏡操作にともなう患者からの湿性生体物質による汚れ等を第２の汚れ吸着部によって吸着するようにしたものである。なお、本明細書中で、「湿性生体物質」は、例えば血液、体液、分泌物、排泄物、汚染物などを含む。
【００１０】
請求項２の発明は、内視鏡を用いた検査および処置に用いる患者保護シートであって、前記患者保護シートは、患者用ベッド上に横たわる患者の上体部分の一部を覆う保護シート本体と、前記保護シート本体に設けられ、前記患者の口からの湿性生体物質を吸着する第１の汚れ吸着部と、前記保護シート本体に設けられ、術者による内視鏡操作にともなう患者からの湿性生体物質を吸着する第２の汚れ吸着部とを有することを特徴とする患者保護シートである。
【００１１】
そして、本請求項２の発明の患者保護シートでは、内視鏡を用いた検査および処置時に患者に装着した際に、患者用ベッド上に横たわる患者の上体部分を保護シート本体で覆う状態にセットされる。このとき、保護シート本体の第１の汚れ吸着部によって患者用ベッド上に横たわる患者の口から漏れる唾液等を吸着し、術者による内視鏡操作にともなう患者からの湿性生体物質による汚れ等を第２の汚れ吸着部によって吸着するようにしたものである。
【００１２】
請求項３の発明は、前記第１の汚れ吸着部および前記第２の汚れ吸着部は、吸水性が高い素材によって形成された高吸水部を有することを特徴とする請求項１または２に記載の患者保護シートである。
【００１３】
そして、本請求項３の発明の患者保護シートでは、内視鏡を用いた検査および処置時には第１の汚れ吸着部および第２の汚れ吸着部の高吸水部によって患者の口から漏れる唾液や、検査行為による術者の操作にともなう汚れ等を効率よく吸着するようにしたものである。
【００１４】
請求項４の発明は、前記保護シート本体は、患者の首が通る首通し用の開口部を有し、前記開口部に患者の首部を通した状態で、前記開口部の周縁部位を患者の首部に巻き付けて固定する固定部を有することを特徴とする請求項１または２に記載の患者保護シートである。
【００１５】
そして、本請求項４の発明の患者保護シートでは、保護シート本体の首通し用の開口部に患者の首部を通した状態で、開口部の周縁部位を患者の首部に巻き付けて固定部によって固定するようにしたものである。
【００１６】
請求項５の発明は、前記保護シート本体は、前記保護シート本体の長手方向の中点よりも一端側に片寄った位置に前記開口部が配置され、前記開口部が片寄っている一端側に前記第１の汚れ吸着部、他端側に前記第２の汚れ吸着部がそれぞれ配置されていることを特徴とする請求項１または２に記載の患者保護シートである。
【００１７】
そして、本請求項５の発明の患者保護シートでは、保護シート本体の首通し用の開口部に患者の首部を通した際に、開口部が片寄って比較的狭い面積の一端側の第１の汚れ吸着部によって患者の口から漏れる唾液等を吸着し、検査行為による術者の操作にともなう汚れ等をよりも広い面積の第２の汚れ吸着部によって吸着するようにしたものである。
【発明の効果】
【００１８】
本発明によれば、内視鏡を用いた検査および処置時に患者の口から漏れる唾液を受けたり、内視鏡検査中の検査行為による汚染などから患者の着衣およびベッドを保護する道具を特別に準備したり、清潔に管理する手間を省くことができ、内視鏡を用いた検査および処置時に患者の口から漏れる唾液や、内視鏡検査中の処置具の操作などの検査行為による汚染などから患者の着衣およびベッドを簡単に保護することができる患者保護シートを提供することができる。
【発明を実施するための最良の形態】
【００１９】
以下、本発明の第１の実施の形態を図１および図２を参照して説明する。図１は、内視鏡を用いた検査および処置時に患者Ｈが着用する本実施の形態の患者保護シート１の着用状態、図２は、本実施の形態の患者保護シート１の平面図をそれぞれ示す。図１中で、２は消化器内視鏡による内視鏡検査室内のベッド、３は患者Ｈの頭部Ｈ１を載せる枕である。内視鏡を用いた検査および処置時には、ベッド２上の患者Ｈは横向き（左側臥位）の体位の姿勢で寝かされ、枕３の上に患者Ｈの頭部Ｈ１を載せた状態で待機される。
【００２０】
本実施の形態の患者保護シート１は、患者用ベッド２上に横たわる患者Ｈの上体部分を覆うほぼ矩形状の保護シート本体４を有する。この保護シート本体４の主な素材は、吸水性に優れた不織布である。さらに、保護シート本体４は、図２に示すように長手方向の中点よりも一端側に片寄った位置に患者Ｈの首が通る首通し用の開口部５を有する。この開口部５は円形穴によって形成されている。
【００２１】
さらに、保護シート本体４には、保護シート本体４の一側部と開口部５との間を結ぶ直線状の切込み部６が形成されている。この切込み部６の両側には、例えば、面ファスナー（マジックテープ（登録商標））や、ホックなどの係合部材７が配設されている。
【００２２】
また、保護シート本体４には、開口部５が片寄っている一端側（面積が狭い方）に患者用ベッド２上に横たわる患者Ｈの口Ｈ２から漏れる唾液等を吸着する第１の汚れ吸着部８、他端側（面積が広い方）に第２の汚れ吸着部９がそれぞれ配置されている。
【００２３】
第１の汚れ吸着部８および第２の汚れ吸着部９は、例えば高吸水性ポリマーなどの吸水性が高い素材によって形成された高吸水部１０を有する。この高吸水部１０は、例えば保護シート本体４の素材自体で形成されていてもよく、或いは保護シート本体４とは別体の外付け部材を保護シート本体４に一体的に縫い付けても良い。さらに、高吸水部１０は、保護シート本体４とは別体の外付け部材を保護シート本体４に着脱可能に取り付けても良い。なお、患者保護シート１の不織布の内面側には、撥水性のフィルムを貼り付けて撥水加工が施されていてもよい。
【００２４】
そして、患者保護シート１の外面側は吸水性に優れた不織布により構成されていることにより、内視鏡検査や、処置等を行う際に、例えば血液や、体液などの汚れが患者保護シート１に付着した場合にその汚れが患者保護シート１に拡散される。これにより、血液や、体液などの汚れが患者保護シート１に付着した状態で吸収されることにより、周囲に飛散することが防止されている。さらに、患者保護シート１の不織布の内面側に撥水加工が施されている場合には、血液、体液などの浸透が防止される。なお、患者保護シート１の色は、例えば血液や、体液などの汚れが明確に識別できる色、例えば白や、ライトグレイ、薄緑、ピンク、薄青などの淡彩色の素材が用いられている。
【００２５】
また、保護シート本体４の周縁部位には例えば折り返し部を縫い付けて肉厚にした汚れ流出防止部４ａが形成されている。なお、この汚れ流出防止部４ａの裏面には、例えば粘着テープなどが貼着され、保護シート本体４の周縁部位をベッド２などの固定部上に固定できるようになっている。
【００２６】
次に、上記構成の作用について説明する。本実施の形態の患者保護シート１は、内視鏡を用いた検査および処置時に、ベッド２上の患者Ｈの上体部分を覆う状態で着用する。この患者保護シート１の着用時には保護シート本体４の首通し用の開口部５の部分に患者Ｈの首を通したのち、切込み部６の両側の端部を重ねた状態で、係合部材７を係合させて切込み部６の両側の合わせ部間を連結する。この状態で、ベッド２上の患者Ｈは横向き（左側臥位）の体位の姿勢で寝かされ、枕３の上に患者Ｈの頭部Ｈ１を載せた状態で待機される。このとき、患者保護シート１は、図１に示すように面積が広い第２の汚れ吸着部９がベッド２上の患者Ｈの上体部分を覆う状態でセットされる。さらに、面積が狭い第１の汚れ吸着部８は、患者Ｈの口Ｈ２の位置よりも下側に広げられた状態でセットされる。
【００２７】
このようにベッド２上の患者Ｈに患者保護シート１がセットされた状態で、例えば内視鏡検査などの医療検査や処置等が行われる。この内視鏡検査などの医療検査や処置等の作業時には、患者Ｈの口Ｈ２から漏れる「唾液」は主に面積が狭い第１の汚れ吸着部８の高吸水部１０の部分で吸着される。これにより、患者Ｈの口Ｈ２から漏れる「唾液」などの汚れが患者保護シート１の第１の汚れ吸着部８に付着した状態で吸収されることにより、周囲に飛散することが防止される。
【００２８】
また、消化器内視鏡の操作時に、処置具の操作や、消化器内視鏡の処置具挿通チャンネルを通して体内に鉗子などの処置具を出し入れする操作にともない周囲に飛散する例えば血液や、体液、薬剤などの飛沫は主に面積が広い第２の汚れ吸着部９の高吸水部１０の部分で吸着される。このように、例えば血液や、体液などの汚れが患者保護シート１の第２の汚れ吸着部９に付着した場合には、その汚れが患者保護シート１に拡散される。これにより、血液や、体液などの汚れが患者保護シート１に付着した状態で第２の汚れ吸着部９に吸収されることにより、周囲に飛散することが防止される。
【００２９】
また、患者保護シート１の不織布の内面側に撥水加工部を設けた場合には、患者保護シート１の第１の汚れ吸着部８に付着した「唾液」などの汚れや、第２の汚れ吸着部９に付着した血液、体液などの汚れが患者保護シート１の不織布の内面側の撥水加工部によって患者保護シート１の不織布の内面側に浸透されることが防止される。これにより、患者保護シート１の内側の衣服やベッド２に「唾液」などの汚れや、血液、体液などの汚れが付着することが防止される。
【００３０】
そこで、上記構成のものにあっては次の効果を奏する。すなわち、内視鏡を用いた検査および処置時に患者Ｈが本実施の形態の患者保護シート１を装着した際には、患者用ベッド２上に横たわる患者Ｈの上体部分を保護シート本体４で覆う状態にセットされる。このとき、保護シート本体４の第１の汚れ吸着部８によって患者用ベッド２上に横たわる患者Ｈの口Ｈ２から漏れる唾液等を吸着し、検査行為による術者の操作にともなう汚れ等を第２の汚れ吸着部９によって吸着する。これにより、内視鏡を用いた検査および処置時に患者Ｈの口Ｈ２から漏れる唾液や、内視鏡検査中の処置具の操作などの検査行為による汚染などから患者Ｈの着衣およびベッド２を簡単に保護することができる。そのため、内視鏡を用いた検査および処置時に患者Ｈの口Ｈ２から漏れる唾液を受けたり、内視鏡検査中の検査行為による汚染などから患者Ｈの着衣およびベッド２を保護する道具を特別に準備したり、清潔に管理する手間を省くことができ、内視鏡検査の作業性を高めることができる。
【００３１】
また、図３は本発明の第２の実施の形態を示すものである。本実施の形態は第１の実施の形態（図１および図２参照）の患者保護シート１の構成を次の通り変更したものである。
【００３２】
すなわち、本実施の形態の患者保護シート１１では第１の実施の形態の円形穴の首通し用の開口部５に代えてほぼＶ字状、またはＵ字状の首通し用の切り込み溝１２を設けたものである。なお、これ以外の部分は第１の実施の形態の患者保護シート１と同一構成になっており、第１の実施の形態の患者保護シート１と同一部分には同一の符号を付してここではその説明を省略する。また、保護シート本体４の首通し用の切り込み溝１２の両側の部分に第１の実施の形態の患者保護シート１と同様に例えば、面ファスナー（マジックテープ（登録商標））や、ホックなどの係合部材７を配設してもよい。
【００３３】
次に、上記構成の作用について説明する。内視鏡を用いた検査および処置時に、本実施の形態の患者保護シート１１をベッド２上の患者Ｈの上体部分を覆う状態で着用する場合には、首通し用の切り込み溝１２の部分に患者Ｈの首を通した状態で第１の実施の形態の患者保護シート１と同様にセットされる。
【００３４】
そこで、上記構成のものにあっては次の効果を奏する。すなわち、内視鏡を用いた検査および処置時に患者Ｈが本実施の形態の患者保護シート１１を装着した際には、患者用ベッド２上に横たわる患者Ｈの上体部分を保護シート本体４で覆う状態にセットされる。このとき、保護シート本体４の第１の汚れ吸着部８によって患者用ベッド２上に横たわる患者Ｈの口Ｈ２から漏れる唾液等を吸着し、検査行為による術者の操作にともなう汚れ等を第２の汚れ吸着部９によって吸着する。これにより、内視鏡を用いた検査および処置時に患者Ｈの口Ｈ２から漏れる唾液や、内視鏡検査中の処置具の操作などの検査行為による汚染などから患者Ｈの着衣およびベッド２を簡単に保護することができる。そのため、本実施の形態の患者保護シート１１でも内視鏡を用いた検査および処置時に患者Ｈの口Ｈ２から漏れる唾液を受けたり、内視鏡検査中の検査行為による汚染などから患者Ｈの着衣およびベッド２を保護する道具を特別に準備したり、清潔に管理する手間を省くことができ、内視鏡検査の作業性を高めることができる。
【００３５】
また、図４は本発明の第３の実施の形態を示すものである。本実施の形態は第１の実施の形態（図１および図２参照）の患者保護シート１の構成を次の通り変更したものである。
【００３６】
すなわち、本実施の形態の患者保護シート２１では、保護シート本体４の長手方向の中点位置に患者Ｈの首が通る首通し用の開口部２２を有する。この開口部２２は、例えば直径１３ｃｍ程度の円形穴によって形成されている。
【００３７】
さらに、保護シート本体４には、開口部２２の周縁部位の複数箇所、例えば上下左右の４箇所に径方向に伸びる切り込み部２３が形成されている。そして、首通し用の開口部２２の部分に患者Ｈの首を通す際に、患者Ｈの頭部Ｈ１の大きさに合わせて自由に開口部２２の大きさを調整できるようになっている。
【００３８】
また、本実施の形態の保護シート本体４には、開口部２２の両側に第１の汚れ吸着部８と、第２の汚れ吸着部９とがそれぞれ配置されている。これらの第１の汚れ吸着部８と、第２の汚れ吸着部９とはほぼ同じ大きさに形成されている。
【００３９】
そして、内視鏡を用いた検査および処置時に、本実施の形態の患者保護シート２１をベッド２上の患者Ｈに着用する場合には、首通し用の開口部２２の部分に患者Ｈの頭部Ｈ１を通した状態で第１の実施の形態の患者保護シート１と同様にセットされる。
【００４０】
そこで、上記構成のものにあっては次の効果を奏する。すなわち、内視鏡を用いた検査および処置時に患者Ｈが本実施の形態の患者保護シート２１を装着した際には、患者用ベッド２上に横たわる患者Ｈの上体部分を保護シート本体４で覆う状態にセットされる。このとき、保護シート本体４の第１の汚れ吸着部８によって患者用ベッド２上に横たわる患者Ｈの口Ｈ２から漏れる唾液等を吸着し、検査行為による術者の操作にともなう汚れ等を第２の汚れ吸着部９によって吸着する。これにより、内視鏡を用いた検査および処置時に患者Ｈの口Ｈ２から漏れる唾液や、内視鏡検査中の処置具の操作などの検査行為による汚染などから患者Ｈの着衣およびベッド２を簡単に保護することができる。そのため、本実施の形態の患者保護シート２１でも内視鏡を用いた検査および処置時に患者Ｈの口Ｈ２から漏れる唾液を受けたり、内視鏡検査中の検査行為による汚染などから患者Ｈの着衣およびベッド２を保護する道具を特別に準備したり、清潔に管理する手間を省くことができ、内視鏡検査の作業性を高めることができる。
【００４１】
また、図５は本発明の第４の実施の形態を示すものである。本実施の形態の患者保護シート３１は第３の実施の形態（図４参照）の患者保護シート２１の首通し用の開口部２２の部分を第１の実施の形態の患者保護シート１と同様に保護シート本体４の長手方向の中点よりも一端側に片寄った位置に配置したものである。
【００４２】
なお、これ以外の部分は第１の実施の形態の患者保護シート１と同一構成になっており、第１の実施の形態の患者保護シート１と同一部分には同一の符号を付してここではその説明を省略する。
【００４３】
そして、本実施の形態の患者保護シート３１をベッド２上の患者Ｈに着用する場合には、第３の実施の形態の患者保護シート２１と同様に首通し用の開口部２２の部分に患者Ｈの頭部Ｈ１を通した状態で第１の実施の形態の患者保護シート１と同様にセットされる。
【００４４】
そこで、上記構成のものにあっては次の効果を奏する。すなわち、本実施の形態の患者保護シート３１は、第３の実施の形態の患者保護シート２１と同様に使用される。そのため、本実施の形態の患者保護シート３１でも、第３の実施の形態の患者保護シート２１と同様の効果が得られる。
【００４５】
また、図６は本発明の第５の実施の形態を示すものである。本実施の形態の患者保護シート４１は長手方向の中点よりも一端側に片寄った位置に患者Ｈの首が通る首通し用の開口部４２を有する。この開口部４２は円形穴によって形成されている。
【００４６】
さらに、保護シート本体４には、開口部４２が片寄っている一端側（面積が狭い方）とは反対側（面積が広い方）に向けて開口部４２から直線状に延出させたミシン目４３が形成されている。必要に応じてこのミシン目４３を切断することにより、帯状の首固定ベルト４４が形成されるようになっている。なお、ミシン目４３を切断した場合には、開口部４２の円形穴の一部が切断され、開口部４２に患者Ｈの頭部Ｈ１を通す際に、患者Ｈの頭部Ｈ１の大きさに合わせて自由に開口部４２の大きさを調整できるようになっている。
【００４７】
また、保護シート本体４には、開口部４２の近傍位置にベルト固定穴４５が形成されている。そして、首通し用の開口部４２に患者Ｈの頭部Ｈ１を通した状態で帯状の首固定ベルト４４をベルト固定穴４５に通して結ぶことにより、保護シート本体４の首通し用の開口部４２の周縁部位を患者Ｈの首部に確実に固定することができる。
【００４８】
そして、本実施の形態の患者保護シート４１をベッド２上の患者Ｈに着用する場合には、第１の実施の形態の患者保護シート１と同様に首通し用の開口部４２の部分に患者Ｈの頭部Ｈ１を通した状態で第１の実施の形態の患者保護シート１と同様にセットされる。
【００４９】
そこで、上記構成のものにあっては次の効果を奏する。すなわち、本実施の形態の患者保護シート４１は、第１の実施の形態の患者保護シート１と同様に使用される。そのため、本実施の形態の患者保護シート４１でも、第１の実施の形態の患者保護シート１と同様の効果が得られる。
【００５０】
また、図７は本発明の第６の実施の形態を示すものである。本実施の形態の患者保護シート５１は第１の実施の形態（図１および図２参照）の患者保護シート１の首通し用の開口部５の周縁部分に伸縮可能な伸縮部５２を設けたものである。この伸縮部５２は、例えばゴムなどの弾性体や、ギャザーなどによって形成されている。
【００５１】
そこで、上記構成のものにあっては次の効果を奏する。すなわち、本実施の形態の患者保護シート５１では、首通し用の開口部５の周縁部分に伸縮可能な伸縮部５２を設けたので、開口部５に患者Ｈの頭部Ｈ１を通す際に、患者Ｈの頭部Ｈ１の大きさに合わせて伸縮部５２を自由に伸縮させて開口部５の大きさを調整できる。さらに、開口部５に患者Ｈの頭部Ｈ１を通したのち、この伸縮部５２の収縮作用によって保護シート本体４の首通し用の開口部５の周縁部位を患者Ｈの首部に確実に固定することができる。
【００５２】
また、図８は本発明の第７の実施の形態を示すものである。本実施の形態の患者保護シート６１は第１の実施の形態（図１および図２参照）の患者保護シート１と同様の構成の保護シート本体４の表面の一部に「表」の文字や、他の適宜の記号を印字してシート１の表・裏を識別しやすくした表・裏識別部６２が設けられている。
【００５３】
そこで、上記構成のものにあっては次の効果を奏する。すなわち、本実施の形態の患者保護シート６１では、使用者が保護シート本体４の表面の表・裏識別部６２を目視することにより、シート１の表・裏を簡単に識別することができる。そのため、使用時にシート１の表・裏を確認する作業を簡単に行うことができ、使い勝手が向上する。
【００５４】
また、図９は本発明の第８の実施の形態を示すものである。本実施の形態の患者保護シート７１は第１の実施の形態（図１および図２参照）の患者保護シート１の構成を次の通り変更したものである。
【００５５】
すなわち、本実施の形態の患者保護シート７１では、第１の汚れ吸着部８にほぼ扇形の形状の高吸水部７２を設けている。この高吸水部７２の扇形の形状は、患者Ｈの口Ｈ２から漏れる唾液等の流出範囲に設けられている。
【００５６】
さらに、保護シート本体４の第２の汚れ吸着部９には、高吸水素材からなる複数の高吸水部７３が配設されている。なお、第１の汚れ吸着部８にも複数の高吸水部７３を配設してもよい。
【００５７】
そこで、上記構成のものにあっては次の効果を奏する。すなわち、本実施の形態の患者保護シート７１は、第１の実施の形態の患者保護シート１と同様に使用される。そのため、本実施の形態の患者保護シート７１でも、第１の実施の形態の患者保護シート１と同様の効果が得られる。
【００５８】
さらに、本発明は上記各実施の形態に限定されるものではなく、本発明の要旨を逸脱しない範囲で種々変形実施できることは勿論である。  
【産業上の利用可能性】
【００５９】
本発明は、例えば内視鏡検査などの医療検査や処置等を行う際に、患者に装着する患者保護シートを製造する技術分野や、患者保護シートを使用する技術分野で有効である。
【図面の簡単な説明】
【００６０】
【図１】本発明の第１の実施の形態の患者保護シートの着用状態を示す斜視図。
【図２】第１の実施の形態の患者保護シートの平面図。
【図３】本発明の第２の実施の形態の患者保護シートの平面図。
【図４】本発明の第３の実施の形態の患者保護シートの平面図。
【図５】本発明の第４の実施の形態の患者保護シートの平面図。
【図６】本発明の第５の実施の形態の患者保護シートの平面図。
【図７】本発明の第６の実施の形態の患者保護シートの平面図。
【図８】本発明の第７の実施の形態の患者保護シートの平面図。
【図９】本発明の第８の実施の形態の患者保護シートの平面図。
【符号の説明】
【００６１】
１…患者保護シート、２…患者用ベッド、Ｈ…患者、４…保護シート本体、Ｈ２…口、８…第１の汚れ吸着部、９…第２の汚れ吸着部。
【図１】
2006051091.tif 000003
【図２】
2006051091.tif 000004
【図３】
2006051091.tif 000005
【図４】
2006051091.tif 000006
【図５】
2006051091.tif 000007
【図６】
2006051091.tif 000008
【図７】
2006051091.tif 000009
【図８】
2006051091.tif 000010
【図９】
2006051091.tif 000011